(57)【要約】【課題】コスト面や運用面で大きな負担となる認証サーバを用いることなく、ＩＰ電話に、「０ＡＢ〜Ｊ番号」と呼ばれる地域固定の番号を割り当てると共に、この割り当てられた番号を持ったままＩＰ電話が番号エリア外に移動するのを規制する。【解決手段】本発明は、アクセス網を介してネットワークに接続される加入者宅のＶｏＩＰ−ＴＡのＶｏＩＰポートに接続された電話端末の接続位置を特定して、接続位置に応じた電話番号を設定する。このネットワークに、ユーザ識別情報付与装置及びダウンロード（Ｄ／Ｌ）サーバを接続する。ＶｏＩＰ−ＴＡは、その電源オン毎にユーザ識別情報付与装置に接続して、電話端末がアクセス網に接続される接続位置固有の情報に基づき、ユーザ識別情報をＶｏＩＰ−ＴＡに付与する。ダウンロード（Ｄ／Ｌ）サーバは、ユーザ識別情報に基づいて、電話番号設定情報をＶｏＩＰ−ＴＡにダウンロードさせる。【選択図】図１
2008054086.tif 000002
【特許請求の範囲】
【請求項１】
アクセス網を介してネットワークに接続される加入者宅のＶｏＩＰ−ＴＡ(Voice over Internet Protocol-terminal adapter)のＶｏＩＰポートに接続された電話端末の接続位置を特定して、接続位置に応じた電話番号を設定するＩＰ（Internet Protocol）電話の位置特定方式において、
前記ネットワークに、ユーザ識別情報付与装置及びダウンロード（Ｄ／Ｌ）サーバを接続し、
前記ＶｏＩＰ−ＴＡは、その電源オン毎に前記ユーザ識別情報付与装置に接続して、該ユーザ識別情報付与装置は、電話端末がアクセス網に接続される接続位置固有の情報に基づき、ユーザ識別情報を前記ＶｏＩＰ−ＴＡに付与し、
ユーザ識別情報と電話番号設定情報を対応させたテーブルを有している前記ダウンロード（Ｄ／Ｌ）サーバは、前記ＶｏＩＰ−ＴＡが前記ユーザ識別情報付与装置から取得したユーザ識別情報に基づいて、電話番号設定情報を前記ＶｏＩＰ−ＴＡにダウンロードさせる、
ことから成るＩＰ電話の位置特定方式。
【請求項２】
前記ユーザ識別情報付与装置は、ユーザ名毎に一意のＩＰアドレス、及び一意の端末ＩＤを記憶したテーブルを有する管理サーバであり、該管理サーバは、前記ＶｏＩＰ−ＴＡから送られてきたユーザＩＰアドレスを元に、ユーザを識別するための端末ＩＤを前記ユーザ識別情報として前記ＶｏＩＰ−ＴＡに返送する請求項１に記載のＩＰ電話の位置特定方式。
【請求項３】
前記ネットワークに接続されたＤＨＣＰ（Dynamic Host Configuration Protocol）サーバを備えて、該ＤＨＣＰサーバが、前記ユーザＩＰアドレスを前記ＶｏＩＰ−ＴＡに付与する請求項２に記載のＩＰ電話の位置特定方式。
【請求項４】
前記ＶｏＩＰ−ＴＡのＶｏＩＰポートに一意のＶＬＡＮ−ＩＤ（Virtual LAN-ID）を付与し、前記ＤＨＣＰサーバによる前記ユーザＩＰアドレスの付与は、送信されてきたこの一意のＶＬＡＮ−ＩＤを元にして行われる請求項３に記載のＩＰ電話の位置特定方式。
【請求項５】
前記アクセス網としてＧＥ−ＰＯＮ（Gigabit Ethernet-Passive Optical Network）或いはＶＤＳＬ（Very high-bit-rate Digital Subscriber Line）を用いる請求項１に記載のＩＰ電話の位置特定方式。
【請求項６】
前記電話番号は、前記ＶｏＩＰ−ＴＡを設置した地域に固有の０ＡＢ〜Ｊ番号である請求項１に記載のＩＰ電話の位置特定方式。
【請求項７】
前記ユーザ識別情報付与装置は、前記ＶｏＩＰ−ＴＡの電源ＯＮ／ＯＦＦ毎に作成されるＯＮＵ情報と、識別子と、端末ＩＤからなるテーブルを有する管理サーバであり、該管理サーバは、前記ＶｏＩＰ−ＴＡから送られてきた識別子を元に、ユーザを識別するための端末ＩＤを前記ユーザ識別情報として前記ＶｏＩＰ−ＴＡに返送する請求項１に記載のＩＰ電話の位置特定方式。
【請求項８】
前記ユーザ識別情報付与装置は、ＤＨＣＰサーバであり、該ＤＨＣＰサーバは、前記ＶｏＩＰ−ＴＡが接続されている光ケーブルを収容する光収容スイッチ（ＳＷ）の特定のポートを判断して割り当てた固定ＩＰアドレスを、前記ユーザ識別情報として前記ＶｏＩＰ−ＴＡに返送する請求項１に記載のＩＰ電話の位置特定方式。
【請求項９】
アクセス網を介してネットワークに接続される加入者宅のＶｏＩＰ−ＴＡ(Voice over Internet Protocol-terminal adapter)のＶｏＩＰポートに接続された電話端末の接続位置を特定して、接続位置に応じた電話番号を設定するＩＰ（Internet Protocol）電話の位置特定方法において、
前記ネットワークに、ユーザ識別情報付与装置及びダウンロード（Ｄ／Ｌ）サーバを接続し、
前記ＶｏＩＰ−ＴＡは、その電源オン毎に前記ユーザ識別情報付与装置に接続して、該ユーザ識別情報付与装置は、電話端末がアクセス網に接続される接続位置固有の情報に基づき、ユーザ識別情報を前記ＶｏＩＰ−ＴＡに付与し、
ユーザ識別情報と電話番号設定情報を対応させたテーブルを有している前記ダウンロード（Ｄ／Ｌ）サーバは、前記ＶｏＩＰ−ＴＡが前記ユーザ識別情報付与装置から取得したユーザ識別情報に基づいて、電話番号設定情報を前記ＶｏＩＰ−ＴＡにダウンロードさせる、
ことから成るＩＰ電話の位置特定方法。
【発明の詳細な説明】
【技術分野】
【０００１】
本発明は、アクセス網を介してネットワークに接続される加入者宅のＶｏＩＰ−ＴＡのＶｏＩＰポートに接続された電話端末の接続位置を特定して、接続位置に応じた電話番号を設定するＩＰ電話の位置特定方式及び方法に関する。
【背景技術】
【０００２】
近年、ＶｏＩＰ(Voice over Internet Protocol)技術を使ったＩＰ電話が、その通信料の安さのためにユーザを拡大している。ＶｏＩＰ （ボイップ）とは、音声を各種符号化方式で圧縮しパケットに変換した上でＩＰ（Internet Protocol：インターネットプロトコル）ネットワークでリアルタイム伝送する技術である。このＩＰ電話には、「０５０」で始まる専用の番号が割り当てられている。しかし、固定電話をＩＰ電話に切り換えても、現在の電話番号、即ち、「０３」等で始まる「０ＡＢ〜Ｊ番号」と呼ばれる番号をそのまま使いたいという要望を持つユーザは多い。電話番号の変更が生じれば、取引先や知人に伝えなければならず、企業や個人にとって大きな負担となる。
【０００３】
「０ＡＢ〜Ｊ番号」は、総務省の定める技術的要件（電子通信番号規則第９条第１号）にあるように、地域固定の番号体系である。例えば、東京２３区内の「０３」の番号を持つには、電話機は「０３」の番号エリア内に設置しなくてはならない。一方、ＩＰ電話は、電子メールやウエブの閲覧などと同様に、サーバへ接続できるネットワーク環境さえあればどこからでも利用できる。それ故、ＩＰ電話が、「０５０」で始まる専用の番号ではなく、固定電話と同じく「０ＡＢ〜Ｊ番号」を持つためには、番号エリア外に移動することを規制することが求められている。
【０００４】
このような観点で、特許文献１は、０ＡＢ〜Ｊ番号によるＩＰ電話サービスにおける不正接続を阻止するためにＶＬＡＮ−ＩＤ（Virtual LAN-ID）を用いる技術を、従来技術として開示する。ＶＬＡＮ−ＩＤが、収容ポート単位で付与され、ユーザ認証パケットの中にＶＬＡＮ−ＩＤの要素を追加する。認証サーバにもユーザＩＤに対応付けてＶＬＡＮ−ＩＤを登録しておき、もし、ユーザが端末装置を移動させた（収容ポートが変更された）場合には、認証サーバにおいてＶＬＡＮ−ＩＤが一致しないと判断され、認証不許可となる。
【０００５】
このように、ユーザが端末装置を移動させた場合には、ＶＬＡＮ−ＩＤが一致しないと判断されるものであるが、しかし、ＶＬＡＮ−ＩＤの不一致を判断するための認証サーバが必要となる。認証サーバを持つ事は通信事業者にとって、コスト面や運用面で大きな負担となる。
【特許文献１】特開２００６−１４８８５１号公報
【特許文献２】特開２００３−１６９１３５号公報
【発明の開示】
【発明が解決しようとする課題】
【０００６】
本発明は、係る問題点を解決して、コスト面や運用面で大きな負担となる認証サーバ（ＢＡＳサーバ、Ｒａｄｉｕｓサーバ）を用いることなく、ＩＰ電話に、「０ＡＢ〜Ｊ番号」と呼ばれる地域固定の番号を割り当てると共に、この割り当てられた番号を持ったままＩＰ電話が番号エリア外に移動するのを規制することを目的としている。
【課題を解決するための手段】
【０００７】
本発明のＩＰ（Internet Protocol）電話の位置特定方式及び方法は、アクセス網を介してネットワークに接続される加入者宅のＶｏＩＰ−ＴＡ(Voice over Internet Protocol-terminal adapter)のＶｏＩＰポートに接続された電話端末の接続位置を特定して、接続位置に応じた電話番号を設定する。このネットワークに、ユーザ識別情報付与装置及びダウンロード（Ｄ／Ｌ）サーバを接続する。ＶｏＩＰ−ＴＡは、その電源オン毎にユーザ識別情報付与装置に接続して、該ユーザ識別情報付与装置は、電話端末がアクセス網に接続される接続位置固有の情報に基づき、ユーザ識別情報をＶｏＩＰ−ＴＡに付与する。ユーザ識別情報と電話番号設定情報を対応させたテーブルを有しているダウンロード（Ｄ／Ｌ）サーバは、ＶｏＩＰ−ＴＡがユーザ識別情報付与装置から取得したユーザ識別情報に基づいて、電話番号設定情報をＶｏＩＰ−ＴＡにダウンロードさせる。
【０００８】
ユーザ識別情報付与装置は、ユーザ名毎に一意のＩＰアドレス、及び一意の端末ＩＤを記憶したテーブルを有する管理サーバであり、該管理サーバは、ＶｏＩＰ−ＴＡから送られてきたユーザＩＰアドレスを元に、ユーザを識別するための端末ＩＤをユーザ識別情報としてＶｏＩＰ−ＴＡに返送する。また、ネットワークに接続されたＤＨＣＰ（Dynamic Host Configuration Protocol）サーバを備えて、該ＤＨＣＰサーバが、ユーザＩＰアドレスをＶｏＩＰ−ＴＡに付与する。ＶｏＩＰ−ＴＡのＶｏＩＰポートに一意のＶＬＡＮ−ＩＤ（Virtual LAN-ID）を付与し、ＤＨＣＰサーバによるユーザＩＰアドレスの付与は、送信されてきたこの一意のＶＬＡＮ−ＩＤを元にして行われる。
【０００９】
また、ユーザ識別情報付与装置は、ＶｏＩＰ−ＴＡの電源ＯＮ／ＯＦＦ毎に作成されるＯＮＵ情報と、識別子と、端末ＩＤからなるテーブルを有する管理サーバであり、該管理サーバは、ＶｏＩＰ−ＴＡから送られてきた識別子を元に、ユーザを識別するための端末ＩＤをユーザ識別情報としてＶｏＩＰ−ＴＡに返送する。
【００１０】
また、ユーザ識別情報付与装置は、ＤＨＣＰサーバであり、該ＤＨＣＰサーバは、ＶｏＩＰ−ＴＡが接続されている光ケーブルを収容する光収容スイッチ（ＳＷ）の特定のポートを判断して割り当てた固定ＩＰアドレスを、ユーザ識別情報としてＶｏＩＰ−ＴＡに返送する。
【発明の効果】
【００１１】
本発明によれば、コスト面や運用面で大きな負担となる認証サーバを用いることなく、ＩＰ電話に、「０ＡＢ〜Ｊ番号」と呼ばれる地域固定の番号を割り当てることができるだけでなく、この割り当てられた番号を持ったままＩＰ電話が番号エリア外に移動するのを規制することが可能となる。
【発明を実施するための最良の形態】
【００１２】
図１は、本発明の位置特定方式を説明するための概念図である。加入者宅のＶｏＩＰ−ＴＡ（TA[terminal adapter]：通信機器を接続するとき必要な信号変換機器）には、そのデータポートにパソコンが接続され、かつ、ＶｏＩＰポートに電話端末が接続されるものとして例示している。パソコンを接続することによって、電子メールやウエブの閲覧等が通常に可能となるが、本発明の特徴は、詳細は後述するように、ＶｏＩＰポートに接続された電話端末の接続位置を特定して、接続位置に応じた電話番号を設定することにある。
【００１３】
このＶｏＩＰ−ＴＡは、アクセス網を介して、ネットワークに接続されたユーザ識別情報付与装置にアクセス可能となっている。ユーザ識別情報付与装置は、電話端末が接続されるＶｏＩＰポートとか、電話端末が光ケーブルを介して接続される光収容ＳＷの特定のポートのような、電話端末がアクセス網に接続される接続位置固有の情報に基づき、端末ＩＤとか固定ＩＰアドレスのユーザ識別情報を、ＶｏＩＰ−ＴＡに付与する。
【００１４】
また、ネットワークには、ダウンロード（Ｄ／Ｌ）サーバが接続されている。Ｄ／Ｌサーバは、ユーザ識別情報と０ＡＢ〜Ｊ設定情報を対応させたテーブルを有している。ＶｏＩＰ−ＴＡは、取得したユーザ識別情報に基づき、０ＡＢ〜Ｊ設定情報をＤ／Ｌサーバに要求する。Ｄ／Ｌサーバは、ユーザ識別情報に基づき、ユーザを識別し、ＶｏＩＰ−ＴＡに、０ＡＢ〜Ｊ設定情報をダウンロード（Ｄ／Ｌ）させる。これによって、ＶｏＩＰ−ＴＡに設定される０ＡＢ〜Ｊ設定情報は、ＶｏＩＰ−ＴＡを設置した地域に固有のものとなる。なお、上述のユーザ識別情報付与及び０ＡＢ〜Ｊ設定は、ＶｏＩＰ−ＴＡの電源ＯＮ毎にＶｏＩＰ−ＴＡの要求に基づき行われる。
【００１５】
（第１の実施形態）
以下、図１に例示した本発明の位置特定方式を具体化する第１〜第４の実施形態を順次説明する。図２は、本発明の第１の実施形態の位置特定方式の固定ＩＰアドレス付与を説明する図である。この第１の実施形態は、ＶＬＡＮ−ＩＤを利用し、かつアクセス網にＧＥ−ＰＯＮ（Gigabit Ethernet-Passive Optical Network：光ファイバーを用いた公衆回線網で1Gbpsの通信速度を実現する技術）を採用する。図示したように、加入者宅のＶｏＩＰ−ＴＡ（terminal adapter：通信機器を接続するとき必要な信号変換機器）には、そのデータポートにパソコンが接続され、かつ、ＶｏＩＰポートに電話端末が接続されるものとして例示している。
【００１６】
このＶｏＩＰ−ＴＡは、ＯＮＵ（Optical Network Unit：光ファイバー加入者通信網における、加入者宅側の終端装置）を介して、ＯＬＴ（Optical Line Terminal：光ファイバー加入者通信網における、電話局側の終端装置）に接続されている。この電話局側終端装置ＯＬＴは、アクセス網にＧＥ−ＰＯＮを採用して、エルサンスイッチＬ３ＳＷ（layer 3 switch：パケットの行き先を判断して転送を行なうネットワークの中継機器の一つ）及びネットワークを介して、音声用及びデータ用ＤＨＣＰ（Dynamic Host Configuration Protocol）サーバ［DHCP（音声）、DHCP（データ）］に接続されている。
【００１７】
図２に例示したような接続配置において、固定ＩＰアドレスを取得するまでを説明する。ＶｏＩＰ−ＴＡのＶｏＩＰポートに、一意のＶＬＡＮ−ＩＤを付与する。データポートには付与しない。加入者宅側終端装置ＯＮＵは、ＶｏＩＰポートに付与されているＶＬＡＮ−ＩＤをチェックし、指定のＶＬＡＮ−ＩＤは通過させるが、それ以外は通信不可とする。データパケットはＶＬＡＮ−ＩＤ無しで通過させる。
【００１８】
チェックＯＫのＶＬＡＮ−ＩＤは、電話局側終端装置ＯＬＴを介し、さらに、エルサンスイッチＬ３ＳＷを介して中継され、音声用ＤＨＣＰサーバDHCP（音声）へ向けて送信される。データパケットならば、データ用ＤＨＣＰサーバDHCP（データ）に送信される。
【００１９】
音声用ＤＨＣＰサーバDHCP（音声）は、送信されてきたＶＬＡＮ−ＩＤを元にして、固定のＩＰアドレスを払い出す。ＶＬＡＮ−ＩＤが無ければ、データ用ＤＨＣＰサーバDHCP（データ）は、データ用のＩＰアドレスを払い出す。
【００２０】
図３は、図２に示した第１の実施形態の位置特定方式の０ＡＢ〜Ｊ設定のダウンロード（Ｄ／Ｌ）を説明する図である。ＤＨＣＰサーバに加えて、ＤＮＳサーバと、管理サーバと、Ｄ／Ｌサーバがネットワークに接続されている。この管理サーバは、図１を参照して前述したユーザ識別情報付与装置に相当する。なお、通常、ＶｏＩＰ−ＴＡはユーザ設備、Ｄ／Ｌサーバは通信事業者設備、それ以外は回線事業者設備となる。
【００２１】
(1)図２を参照して上述したようにして、ＶｏＩＰ−ＴＡは固定ＩＰアドレスを取得した後、固有のドメイン（××＠△△）宛てにパケットを送信する。ネットワークに接続されているドメインネームサーバDNSは固有のドメインから管理サーバのＩＰアドレスをＶｏＩＰ−ＴＡへ返信する。
【００２２】
(2)ネットワークに接続されている管理サーバは、ＶｏＩＰ−ＴＡから送られてきた送信元ＩＰアドレスを元に、管理サーバに接続されている管理サーバDBへ問い合わせ、このDBで参照した端末ＩＤをユーザ識別情報としてＶｏＩＰ−ＴＡに返送する。ここで用いる端末ＩＤとは、ユーザを識別するための任意の文字列である。管理サーバDBは、図３中に例示したように、ユーザ名と、ＩＰアドレスと、端末ＩＤのテーブルからなり、ユーザ名毎に一意のＩＰアドレス、及び一意の端末ＩＤが記憶されている。
【００２３】
(3)ＶｏＩＰ−ＴＡは管理サーバから得た端末ＩＤを、通信事業者が有するダウンロード（Ｄ／Ｌ）サーバへ送信する。Ｄ／Ｌサーバは端末ＩＤにてユーザを識別し、ＶｏＩＰ−ＴＡは、０ＡＢ〜Ｊ設定情報（電話番号情報）をダウンロード（Ｄ／Ｌ）する。このように、Ｄ／Ｌサーバには、端末ＩＤと、０ＡＢ〜Ｊ設定情報から成るテーブルが記憶されている。このＤ／Ｌサーバ及び上述の管理サーバDBのテーブルは、事前（開通時工事の際）に作成されている。
【００２４】
或いは、図３に示されているユーザB宅のOＮU及びＶｏＩＰ−ＴＡに対しては、図中の管理サーバDBに示すように、ユーザB宅のＩＰアドレスが付与され、それに基づき、ユーザB宅の端末ＩＤが設定される。そして、このユーザB宅の端末ＩＤに基づき０ＡＢ〜Ｊ設定情報がダウンロードされることになる。
【００２５】
このように、ＶｏＩＰ−ＴＡに設定される０ＡＢ〜Ｊ設定情報は、ＶｏＩＰ−ＴＡを設置した地域に固有のものとなる。
【００２６】
（第２の実施形態）
図４は、本発明の第２の実施形態の位置特定方式の固定ＩＰアドレス付与を説明する図である。この第２の実施形態は、ＶＬＡＮ−ＩＤを利用し、かつアクセス網にＶＤＳＬ（Very high-bit-rate Digital Subscriber Line）を採用する。図示したように、加入者宅のＶｏＩＰ−ＴＡには、そのデータポートにパソコンが接続され、かつ、ＶｏＩＰポートに電話端末が接続されるものとして例示している。
【００２７】
このＶｏＩＰ−ＴＡは、ＶＤＳＬ（子モデム）を介して、ＶＤＳＬ（親モデム）に接続されている。例えば、集合住宅入口までをＶＤＳＬ（親モデム）によって、かつ、そこから各宅までをＶＤＳＬ（子モデム）によって接続するような場合を想定している。このように、アクセス網にＶＤＳＬを採用して、エルサンスイッチＬ３ＳＷ及びネットワークを介して、音声用及びデータ用ＤＨＣＰサーバ［DHCP（音声）、DHCP（データ）］に接続されている。
【００２８】
図４に例示したような接続配置において、固定ＩＰアドレスを取得するまでを説明する。ＶｏＩＰ−ＴＡのＶｏＩＰポートに、一意のＶＬＡＮ−ＩＤを付与する。データポートには付与しない。
【００２９】
ＶＤＳＬ（子モデム）は、そのコネクタRJ-１１（一般的な電話回線などで使われる、6芯のモジュラ式コネクタ）のポート毎に、ＶｏＩＰポートに付与されているＶＬＡＮ−ＩＤをチェックし、指定のＶＬＡＮ−ＩＤは通過させるが、それ以外は通信不可とする。データパケットはＶＬＡＮ−ＩＤ無しで通過させる。
【００３０】
チェックＯＫのＶＬＡＮ−ＩＤは、ＶＤＳＬ（親モデム）を介し、さらに、エルサンスイッチＬ３ＳＷを介して中継され、音声用ＤＨＣＰサーバDHCP（音声）へ向けて送信される。データパケットならば、データ用ＤＨＣＰサーバDHCP（データ）に送信される。
【００３１】
音声用ＤＨＣＰサーバDHCP（音声）は、送信されてきたＶＬＡＮ−ＩＤを元にして、固定のＩＰアドレスを払い出す。ＶＬＡＮ−ＩＤが無ければ、データ用ＤＨＣＰサーバDHCP（データ）は、データ用のＩＰアドレスを払い出す。
【００３２】
図５は、図４に示した第２の実施形態の位置特定方式の０ＡＢ〜Ｊ設定のダウンロード（Ｄ／Ｌ）を説明する図である。
【００３３】
(1)図４を参照して上述したようにして、ＶｏＩＰ−ＴＡは固定ＩＰアドレスを取得した後、固有のドメイン（××＠△△）宛てにパケットを送信する。ネットワークに接続されているドメインネームサーバDNSは固有のドメインから管理サーバのＩＰアドレスをＶｏＩＰ−ＴＡへ返信する。
【００３４】
(2)ネットワークに接続されている管理サーバは、ＶｏＩＰ−ＴＡから送られてきた送信元ＩＰアドレスを元に、管理サーバに接続されている管理サーバDBへ問い合わせ、このDBで参照した端末ＩＤをユーザ識別情報としてＶｏＩＰ−ＴＡに返送する。ここで用いる端末ＩＤとは、ユーザを識別するための任意の文字列である。管理サーバDBは、図５中に例示したように、ユーザ名と、ＩＰアドレスと、端末ＩＤのテーブルからなり、ユーザ名毎に一意のＩＰアドレス、及び一意の端末ＩＤが記憶されている。
【００３５】
(3)ＶｏＩＰ−ＴＡは管理サーバから得た端末ＩＤをダウンロード（Ｄ／Ｌ）サーバへ送信する。Ｄ／Ｌサーバは端末ＩＤにてユーザを識別し、ＶｏＩＰ−ＴＡは、０ＡＢ〜Ｊ設定情報をダウンロード（Ｄ／Ｌ）する。このように、ＶｏＩＰ−ＴＡに設定される０ＡＢ〜Ｊ設定情報は、ＶｏＩＰ−ＴＡを設置した地域に固有のものとなる。
【００３６】
（第３の実施形態）
図６は、本発明の第３の実施形態の位置特定方式を説明する図である。この第３の実施形態は、アクセス網にＧＥ−ＰＯＮを採用するが、ＶＬＡＮ−ＩＤを利用しない。図示したように、加入者宅のＶｏＩＰ−ＴＡには、図示省略したが、そのデータポートにパソコンが接続され、かつ、ＶｏＩＰポートに電話端末が接続される。このＶｏＩＰ−ＴＡは、ＯＮＵを介して、電話局側終端装置ＯＬＴに接続されている。電話局側終端装置ＯＬＴは、アクセス網にＧＥ−ＰＯＮを採用して、管理サーバに接続されている。
【００３７】
(1)ＶｏＩＰ−ＴＡの電源ＯＮ時、図示省略したが、上述した第１或いは第２の実施形態と同様にＤＮＳサーバを介して管理サーバへ接続し、端末ＩＤを管理サーバへ問い合わせる。管理サーバは、ＯＮＵ毎にＶｏＩＰ−ＴＡの識別子をデータベースに持っている。端末ＩＤは、ユーザを識別するための任意の文字列である。管理サーバＤＢのテーブルは、ＯＮＵ情報、識別子、端末ＩＤからなり、また、このテーブルは、前述及び後述の実施形態のように事前に作成されるテーブルとは異なり、ＶｏＩＰ−ＴＡの電源ＯＮ／ＯＦＦ毎に作成される。これによって、ＶＯＩＰ−ＴＡの電源ＯＮ／ＯＦＦ毎にどこのＯＮＵにＶｏＩＰ−ＴＡが設置されているかのデータベースが作成され、同時にそれをチェックする。
【００３８】
(2)管理サーバは、ＶｏＩＰ−ＴＡの識別子（A）をチェックして、ＯＮＵ（AA）に対応した端末ＩＤ（10）をＶｏＩＰ−ＴＡに返送する。このように、ユーザ識別子（つまりＶｏＩＰ−ＴＡ情報）がどのＯＮＵの配下に位置しているかのデータベースを電源ＯＮ／ＯＦＦ毎に作成し、ＯＮＵに電話番号を紐付けて、それを電源ＯＮ毎に、ＯＮＵの端末がつながっているＶｏＩＰ−ＴＡの位置をチェックすることにより位置移動を防ぐことが可能になる。
【００３９】
(3)ＶｏＩＰ−ＴＡは管理サーバから得た端末ＩＤ（10）をＤ／Ｌサーバへ送信する。
【００４０】
(4)Ｄ／Ｌサーバは端末ＩＤ（10）にてユーザを識別し、ＶｏＩＰ−ＴＡは０ＡＢ〜Ｊ設定情報をＤ／Ｌする。
【００４１】
また、図示したように、ＶｏＩＰ−ＴＡがユーザB宅に設置されているものであれば、管理サーバは、ＶｏＩＰ−ＴＡの識別子（B）をチェックし、ＯＮＵ（BB）に対応した端末ＩＤ（20）をＶｏＩＰ−ＴＡに返送する。ＶｏＩＰ−ＴＡは管理サーバから得た端末ＩＤ（20）をＤ／Ｌサーバへ送信し、Ｄ／Ｌサーバは端末ＩＤ（20）にてユーザを識別して、その０ＡＢ〜Ｊ設定情報をダウンロード（Ｄ／Ｌ）する。
【００４２】
図７は、図６に示した第３の実施形態の位置特定方式の位置移動時の動作を説明する図である。
【００４３】
(1)ＶｏＩＰ−ＴＡを移動した場合、移動後、電源ONすることにより、端末ＩＤを管理サーバへ問い合わせる。
【００４４】
(2)管理サーバはＶｏＩＰ−ＴＡの識別子をチェックし、ＯＮＵ（BB）に対応した端末ＩＤ（２０）を送信する(ユーザB宅での正常ID)。
【００４５】
(3)ＶｏＩＰ−ＴＡは管理サーバから得た端末ＩＤ（20）をＤ／Ｌサーバへ送信する（ユーザB宅での正常動作）。
【００４６】
(4)Ｄ／Ｌサーバは端末ＩＤ（20）にてユーザを識別し、０ＡＢ〜Ｊ設定情報をＤ／Ｌする（ユーザB宅での正常動作）。
【００４７】
（第４の実施形態）
図８は、本発明の第４の実施形態の位置特定方式を説明する図である。この第４の実施形態は、光収容スイッチ（ＳＷ）ポートを利用するが、ＶＬＡＮ−ＩＤを利用しない。図示の例で、光収容ＳＷから１対１で加入者宅まで接続されるネットワークが、図１のアクセス網に相当する。加入者宅のＶｏＩＰ−ＴＡには、図示省略したが、そのデータポートにはパソコンが接続され、かつ、ＶｏＩＰポートに電話端末が接続される。
【００４８】
このＶｏＩＰ−ＴＡは、メディアコンバータＭＣを介して光ケーブルに接続されている。さらに、この光ケーブルは、光収容ＳＷの特定のポートに接続されており、かつ、この光収容ＳＷを介して、音声用及びデータ用ＤＨＣＰサーバ［DHCP（音声）、DHCP（データ）］に接続されている。その動作は、以下の通りである。
【００４９】
(1)ＶｏＩＰ−ＴＡ電源ON時、ＤＨＣＰサーバ(音声)にＩＰアドレスを問い合わせる。
【００５０】
(2)ＤＨＣＰサーバ(音声)は、光収容ＳＷのポートを判断し、固定ＩＰアドレスをユーザ識別情報としてＶｏＩＰ−ＴＡに割り当てる。光収容ＳＷは、回線事業者設備であり、ユーザが接続ポートを移動させることはできないので、光収容ＳＷの接続ポートを判断することにより、電話端末の接続位置を確実に特定することができる。
【００５１】
(3)ＶｏＩＰ−ＴＡは、割り当てられたＩＰアドレスをＤ／Ｌサーバへ送信する。
【００５２】
(4)Ｄ／ＬサーバはＩＰアドレスにてユーザを識別し、０ＡＢ〜Ｊ設定情報をＤ／Ｌする。
【００５３】
(5)上記の一連の動作とは別に別セッションとしてＤＨＣＰサーバ(データ)にＩＰアドレスを問い合わせる。
【００５４】
(6)ＤＨＣＰサーバ(データ)はＶｏＩＰ−ＴＡにＩＰアドレスを割り当てる。
【００５５】
また、ユーザB宅に設置されたＶｏＩＰ−ＴＡは、同様に、電源ON時、ＩＰアドレスを問い合わせ、ＤＨＣＰサーバ(音声)は、光収容ＳＷのポートを判断し、その固定ＩＰアドレスをＶｏＩＰ−ＴＡに割り当てる。ＶｏＩＰ−ＴＡは、割り当てられた固定ＩＰアドレスをＤ／Ｌサーバへ送信し、Ｄ／ＬサーバはＩＰアドレスにてユーザを識別し、０ＡＢ〜Ｊ設定情報をＤ／Ｌする。
【００５６】
図９は、図８に示した第４の実施形態の位置特定方式の位置移動時の動作を説明する図である。動作は、以下の通りである。
【００５７】
(1)ＶｏＩＰ−ＴＡ移動後、電源ON時、ＤＨＣＰサーバ(音声)にＩＰアドレスを 問い合わせる。
【００５８】
(2)ＤＨＣＰサーバ(音声)は、光収容ＳＷのポートを判断し、ポート(2)に対応した固定ＩＰアドレス(210.xxx.xxx.2)をＶｏＩＰ−ＴＡに割り当てる。
【００５９】
(3)ＶｏＩＰ−ＴＡは割り当てられたＩＰアドレス(210.xxx.xxx.2)をＤ／Ｌサーバへ送信する。
【００６０】
(4)Ｄ／ＬサーバはＩＰアドレスにてユーザを識別し、210.xxx.xxx.2に対応した０ＡＢ〜Ｊ設定情報をＤ／Ｌする。
【００６１】
(5)上記一連の動作とは別に別セッションとしてＤＨＣＰサーバ(データ)にＩＰアドレスを問い合わせる。
【００６２】
(6)ＤＨＣＰサーバ(データ)はＶｏＩＰ−ＴＡにＩＰアドレスを割り当てる。
【図面の簡単な説明】
【００６３】
【図１】本発明の位置特定方式を説明するための概念図である。
【図２】本発明の第１の実施形態の位置特定方式の固定ＩＰアドレス付与を説明する図である。
【図３】図２に示した第１の実施形態の位置特定方式の０ＡＢ〜Ｊ設定のダウンロード（Ｄ／Ｌ）を説明する図である。
【図４】本発明の第２の実施形態の位置特定方式の固定ＩＰアドレス付与を説明する図である。
【図５】図４に示した第２の実施形態の位置特定方式の０ＡＢ〜Ｊ設定のダウンロード（Ｄ／Ｌ）を説明する図である。
【図６】本発明の第３の実施形態の位置特定方式を説明する図である。
【図７】図６に示した第３の実施形態の位置特定方式の位置移動時の動作を説明する図である。
【図８】本発明の第４の実施形態の位置特定方式を説明する図である。
【図９】図８に示した第４の実施形態の位置特定方式の位置移動時の動作を説明する図である。
【図１】
2008054086.tif 000003
【図２】
2008054086.tif 000004
【図３】
2008054086.tif 000005
【図４】
2008054086.tif 000006
【図５】
2008054086.tif 000007
【図６】
2008054086.tif 000008
【図７】
2008054086.tif 000009
【図８】
2008054086.tif 000010
【図９】
2008054086.tif 000011